(57)【要約】【課題】どのようなカメラヘッドがカメラ本体に装着されても円滑な動作が保証されるカメラシステムを提供する。【解決手段】  撮像光学系（レンズ）１１ａと撮像素子（ＣＣＤ）１２ａとを備えるカメラヘッド１ａがカメラ本体１ｂに装着されたときに、カメラヘッド１ａ側のＣＰＵ１０ａとカメラ本体１ｂ側のＣＰＵ１０ｂとが双方の動作可能周波数情報の情報交換を行なって、その交換した情報に基づいて相互に同一の動作周波数となるように双方の動作周波数切替部１５ａ，１２ｂを切り替える。【選択図】  図２
2006203292.tif 000002
【特許請求の範囲】
【請求項１】
撮影光学系と撮像素子を備えたカメラヘッドと、該カメラヘッドが着脱自在に装着され該カメラヘッドから画像信号を受け取って信号処理を行なうカメラ本体とを備えたカメラシステムにおいて、
前記カメラヘッドと前記カメラ本体が、互いの動作可能周波数の情報を交換する情報交換手段と、
前記情報交換手段で交換された情報に基づいて、前記カメラヘッドと前記カメラ本体それぞれを相互に同一の動作周波数に設定する周波数設定手段を備えたことを特徴とするカメラシステム。
【請求項２】
撮影光学系と撮像素子を備えたカメラヘッドと、該カメラヘッドが着脱自在に装着され該カメラヘッドから画像信号を受け取って信号処理を行なうカメラ本体とを備えたカメラシステムにおいて、
前記カメラヘッドが、自分の動作可能周波数の情報を前記カメラ本体に伝達する情報伝達手段を有し、
前記カメラ本体が、前記カメラヘッドから伝達されてきた該カメラヘッドの動作可能周波数の情報を受け取る情報受取手段と、
前記情報受取手段で受け取った情報に基づいて自分の動作周波数を前記カメラヘッドの動作周波数と同一の動作周波数に設定する周波数設定手段とを備えたことを特徴とするカメラシステム。
【発明の詳細な説明】
【技術分野】
【０００１】
本発明は、撮影光学系と撮像素子を備えたカメラヘッドと、そのカメラヘッドが着脱自在に装着されそのカメラヘッドから画像信号を受け取って信号処理を行なうカメラ本体とを備えたカメラシステムに関する。
【背景技術】
【０００２】
最近のデジタルカメラは高機能化の一途を辿っており、このような高機能化に対処するため、マルチタスク処理を行なうことが自在なプロセッサがデジタルカメラ内部に配備されるようになってきている。このようにプロセッサによりマルチタスク的に処理が行なわれるようになってくると、撮影処理であるとか記録処理であるとかの１プロセスの処理が１タスクごとに割り当てられて、各タスクの処理が時系列的に実行されていくようになる。
【０００３】
このようなプロセッサが配備された場合には、すべてのタスクの中で最も高負荷であって高速処理を必要とするタスクの命令サイクルにあわせてクロック信号の周波数が定められる。このようにしておくと、さほど高速の処理を行なわなくても良いタスクの処理を行なう場合には、そのクロック信号を分周して低速にしてから処理を行なうこともできる。またこのように低速処理が行なえると、消費電力の低減を図ることもできるという効果も引き出される（例えば特許文献１、特許文献２参照）。
【０００４】
ところで、撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献３参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００５】
同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献４参照）。
【０００６】
上記のようなカメラシステムを構成するカメラヘッドやプラグインユニットに配備される撮像素子として最近多種多様なものが発表されてきており、画素数やＣＦＡ（Ｃｏｌｏｒ  Ｆｉｌｔｅｒ  Ａｒｒａｙ）配列などの異なる撮像素子が各カメラヘッドに配備される可能性が出てき始めている。
【０００７】
このように撮像素子の種類が増えてきて画素数やＣＦＡの異なる撮像素子が各カメラヘッドに配備されるとなると、カメラヘッドごとに動作周波数や駆動パターン（画素数やＣＦＡが異なると、いままでの読出し方とは異なる読み出し方をしなければならない場合がある）が異なってくる。そうするとカメラヘッドの動作周波数や撮像素子の駆動パターンに応じてカメラ本体側のプロセッサ部（ＣＰＵや信号処理部）の動作周波数をカメラヘッドごとにあわせるようにしないと、カメラヘッド側から供給されてくる画像信号の信号処理がカメラ本体側で行なえなくなる可能性がある。
【特許文献１】特開２００３−６０９６４号公報
【特許文献２】特開２００２−３２０１３６号公報
【特許文献３】特開平８−１７２５６１号公報
【特許文献４】特開２０００−１７５０８９号公報
【発明の開示】
【発明が解決しようとする課題】
【０００８】
本発明は、上記事情に鑑み、どのようなカメラヘッドがカメラ本体に装着されても円滑な動作が保証されるカメラシステムを提供することを目的とする。
【課題を解決するための手段】
【０００９】
上記目的を達成する本発明の第１のカメラシステムは、撮影光学系と撮像素子を備えたカメラヘッドと、そのカメラヘッドが着脱自在に装着され該カメラヘッドから画像信号を受け取って信号処理を行なうカメラ本体とを備えたカメラシステムにおいて、
上記カメラヘッドと前記カメラ本体が、互いの動作可能周波数の情報を交換する情報交換手段と、
上記情報交換手段で交換された情報に基づいて、上記カメラヘッドと上記カメラ本体それぞれを相互に同一の動作周波数に設定する周波数設定手段を備えたことを特徴とする。
【００１０】
上記本発明の第１のカメラシステムによれば、上記情報交換部が交換した情報に基づいて相互に同一の動作周波数が上記周波数設定手段によって上記カメラヘッドおよび上記カメラ本体の双方に設定される。
【００１１】
そうすると、上記カメラヘッドが上記カメラ本体に装着されてこのカメラシステムが構成されて撮影が行なわれるときには、例えばいずれか遅い方の動作周波数に同期してカメラヘッドおよびカメラ本体内のプロセッサ等が動作して撮影処理が円滑に行なわれるようになる。
【００１２】
このようにしてどのようなカメラヘッドがカメラ本体に装着されても円滑な動作が保証されるカメラシステムが実現される。
【００１３】
上記の如く、上記カメラヘッドと上記カメラ本体のうちのいずれか遅い方の動作周波数にあわせるようにしても良いが、上記カメラ本体が、カメラヘッドが備える撮像素子のうちの最高周波数で動作するものであれば、カメラ本体とカメラヘッドとが相互に情報交換を行なうまでもなく、カメラ本体が、カメラヘッド側の動作周波数の情報を取得すれば良い。
【００１４】
そこで、上記目的を達成する本発明の第２のカメラシステムは、撮影光学系と撮像素子を備えたカメラヘッドと、そのカメラヘッドが着脱自在に装着され該カメラヘッドから画像信号を受け取って信号処理を行なうカメラ本体とを備えたカメラシステムにおいて、
上記カメラヘッドが、自分の動作可能周波数の情報を上記カメラ本体に伝達する情報伝達手段を有し、
上記カメラ本体が、上記カメラヘッドから伝達されたそのカメラヘッドの動作可能周波数の情報を受け取る情報受取手段と、
上記情報受取手段で受け取った情報に基づいて動作周波数を上記カメラヘッドの動作周波数と同一の動作周波数に設定する周波数設定手段とを備えたことを特徴とする。
【００１５】
そうすると、上記情報伝達手段から伝達されたカメラヘッドの動作周波数の情報に基づいて上記周波数設定手段によりカメラヘッドの動作周波数と同一の動作周波数がカメラ本体に設定される。
【発明の効果】
【００１６】
以上、説明したように、どのようなカメラヘッドがカメラ本体に装着されても円滑な動作が保証されるカメラシステムが実現される。
【発明を実施するための最良の形態】
【００１７】
以下、本発明の実施の形態について説明する。
【００１８】
図１は、本発明の一実施形態であるカメラシステムを示す図である。
【００１９】
本発明のカメラシステムを説明するにあたって、カメラヘッドが複数の種類１ａ〜ｎａの製品を備えたものであって、その複数の種類のうちのいずれかの種類のカメラヘッド１ａが共通のカメラ本体１ｂに交換自在に装着されてカメラシステム１が構成されるものとして以降説明する。この複数の種類の各カメラヘッドの中にはそれぞれ異なる撮像素子が配備されているものとする。
【００２０】
図１には、その複数の種類の中の一つであるカメラヘッド１ａと、そのカメラヘッド１ａが着脱自在に装着されカメラヘッド１ａから画像信号を受け取って信号処理を行なうカメラ本体１ｂとがそれぞれ別々に示されている。
【００２１】
図１に示すようにカメラ本体１ｂの中央には、多数のマウント接点を持つヘッドマウントが設けられ、またカメラヘッド１ａ〜ｎａ側にも同様のマウント部が設けられている。多数のカメラヘッド１ａ〜ｎａのうちのカメラヘッド１ａが例えば選択され選択されたカメラヘッド１ａが図中の一点鎖線に沿ってカメラ本体１ｂに機械的に装着されると、双方のマウント接点同士が各々接続されてカメラヘッド１ａとカメラ本体１ｂとが電気的にも接続される。
【００２２】
このカメラシステム１は、カメラ本体１ｂにバッテリが配備され、そのバッテリから、カメラヘッド１ａおよびカメラ本体１ｂが備える多数のマウント接点の中の電力用接点を通して電力が供給される構成になっている。その電力用の接点を通してカメラ本体のバッテリの電力がカメラヘッド１ａに供給されると、カメラヘッド１ａとカメラ本体１ｂとの双方がともに動作状態になる。
【００２３】
また、多数のマウント接点の中には、電力用接点のほかに制御用の接点もあり、その制御用の接点を通してカメラヘッド１ａとカメラ本体との間で情報交換が行なわれるようになっている。またカメラ本体１ｂ側のレリーズ操作を示す信号がカメラ本体側からカメラヘッド１ａ側へ伝えられたり、逆にＡＥモードであるとか、ＡＦモードであるとかを知らせるモード通知信号がカメラヘッド１ａ側からカメラ本体側１ｂへ伝えられたりもしている。
【００２４】
なお、カメラ本体１ｂのボディ上面にはレリーズ釦１００ｂとモードダイヤル１０１ｂが配備されている。このモードダイヤル１０１ｂによって電源の投入が行なわれるとともに撮影モードや再生モードなどの切替が行なわれる。また図２に示すカメラ本体の背面側には撮影モードにあってはファインダ代わりとなり、再生モードにあっては再生画像表示用となるＬＣＤパネルなどが配備されている。
【００２５】
ここで図２を参照して図１に示すカメラシステムの内部の構成を簡単に訪朋する。
【００２６】
図２はカメラヘッド１ａがカメラ本体１ｂに装着された状態にあるときのカメラシステムの内部構成を示すブロック図である。
【００２７】
まず、カメラヘッド１ａ側の構成を簡単に説明する。
【００２８】
図２に示すようにカメラヘッド１ａの動作は、統括的にＣＰＵ１０ａによって制御されている。このカメラシステム１を構成するカメラヘッド１ａには、レンズ１１ａと撮像素子（ここではＣＣＤ固体撮像素子が用いられているので以下ＣＣＤという）１２ａとが備えられていて、上記ＣＰＵ１０ａはそのＣＣＤ１２ａに対して露光開始を知らせる信号と露光終了を知らせる信号との双方を供給させるべくタイミングジェネレータ（以降ＴＧという）１６ａを制御して露光開始時刻に応じたタイミング信号と露光終了時刻に応じたタイミング信号との双方をＣＣＤ１２ａに対して出力させている。したがって、その露光終了信号の供給のタイミングに同期してＣＣＤ１２ａで生成された被写体を表す画像信号がＣＤＳ／ＡＤ部１３ａに出力されることとなる。そのＣＤＳ／ＡＤ部１３ａによってＣＣＤ１２ａで生成された画像信号がＣＣＤ１２ａから出力されたときに乗ったノイズが低減され、さらにアナログ信号の画像信号がデジタル信号の画像信号に変換された後、デジタル信号になった画像信号がカメラ本体１ｂへ供給される。
【００２９】
カメラ本体１ｂではそのデジタル信号になった画像信号の供給を受けてカメラ本体１ｂ内部の信号処理部１４ｂにより信号処理が行なわれる。
【００３０】
図２に示すカメラ本体１ｂもカメラヘッド１ａと同様、ＣＰＵ１０ｂにより統括的に制御されていて、そのＣＰＵ１０ｂがＲＯＭ１１ｂ内のプログラムの手順にしたがってカメラ本体１ｂ内部の信号処理部１４ｂの信号処理動作、ＬＣＤ表示部１５ｂの表示動作、記録媒体１６ｂへの記録動作等を制御する。
【００３１】
例えばＣＰＵ１０ｂによりスルー画用の画像処理パラメータが信号処理部１４ｂにセットされると、画像信号に所定の信号処理が施されてスルー画を表わすＹＣ信号等に変換される。スルー画の表示にあってはこの信号処理部１４ｂでＹＣ信号への変換が行なわれた後、ＬＣＤ表示部１５ｂにそのＹＣ信号が供給されそのＹＣ信号に基づく画像がＬＣＤパネル上に表示される。またレリーズ操作に応じてはＣＰＵ１０ｂにより圧縮パラメータなどが信号処理部１４ｂにセットされて信号処理部１４ｂで圧縮処理が行なわれた後、圧縮された画像信号であるＪＰＥＧ信号が記録媒体１６ｂに記録される。
【００３２】
ところで図１にも示したように多数の種類のカメラヘッド１ａ〜ｎａがあり、それぞれが異なる動作周波数や駆動パターンを持つＣＣＤを備えているため、カメラ本体１ｂ側はそのＣＣＤの駆動パターンや動作周波数にあわせてカメラ本体１ｂのＣＰＵ１０ｂや信号処理部１４ｂの動作周波数を設定しないと、信号処理部１４ｂでの信号処理が円滑に行なわれなくなってしまう恐れがある。
【００３３】
そこで、カメラヘッド１ａ側のＣＰＵ１０ａとカメラ本体１ｂ側のＣＰＵ１０ｂとが、互いの動作可能周波数の情報交換を例えばインタフェースユニット（不図示）を介して行なって、カメラヘッド側のＣＰＵ１０ａとカメラ本体側のＣＰＵ１０ｂとが交換した情報に基づいて相互に同一の動作周波数となるように動作周波数切替部１５ａ，１２ｂをそれぞれ切り替えるようにしている。ここでは、カメラヘッド１ａ側のＣＣＤ情報記憶部１４ａにＣＣＤ１２ａの動作可能周波数や駆動パターンに関する情報を記憶しておき、カメラ本体１ｂ側の動作周波数記憶部１７ｂにＣＰＵ１０ｂおよび信号処理部１０ｂの動作可能周波数などを記憶しておいて、カメラヘッド１ａがカメラ本体１ｂに装着されたときに、双方のＣＰＵ１０ａ，１０ｂ間で動作可能周波数についての情報交換を行なうようにしている。
【００３４】
そうすると、カメラヘッド１ａとカメラ本体１ｂの各ＣＰＵ１０ａ，１０ｂが、例えばシリアルインタフェースを介して情報交換を行なった後、いずれか遅い方の動作周波数に合わせるように双方の動作周波数切替部１４ａ，１７ｂを切り替えて相互に同一の動作周波数となる動作周波数をカメラヘッドの内部とカメラ本体の内部との双方にそれぞれ設定した後、このカメラシステムを確実に動作させることができる。
【００３５】
この例においては、上記カメラヘッド１ａ側のＣＰＵ１０ａと上記カメラ本体１ｂ側のＣＰＵ１０ｂとインターフェース（不図示）とが本発明にいう情報交換部に該当し、上記カメラヘッド１ａ側のＣＰＵ１０ａと動作周波数切替部１４ａ、カメラ本体１ｂ側のＣＰＵ１０ｂと動作周波数切替部１７ｂとが本発明にいう周波数設定手段に該当する。
【００３６】
第１の実施形態では、上記カメラヘッド１ａと上記カメラ本体１ｂのうちのいずれか遅い方の動作周波数を双方とも設定するようにしたが、カメラヘッド１ａが備えるＣＣＤの動作周波数として現存する周波数のうち最も速い動作周波数に応じたクロックを発信することができるような動作周波数切替部を予めカメラ本体側に配備しておけば、カメラヘッドとカメラ本体との間で情報交換を行なうまでもなく、カメラヘッド１ａ側の動作周波数の情報をカメラ本体１ｂ側へ伝達するだけで済む。
【００３７】
図３は第２の実施形態を示す図である。
【００３８】
図３には、カメラ本体１ｂが、現存するカメラヘッド（図１に示す１ａ〜ｎａ）が有する撮像素子のうちの最も速い動作周波数に対応する信号を出力可能な動作周波数切替部１２０ｂを備えた場合の例が示されている。
【００３９】
図３に示す例では、カメラヘッドｎａが、自分の動作可能周波数の情報をカメラ本体１ｂに伝達する情報伝達手段であるＣＣＤ情報記憶部１４ｎａを有していてカメラ本体１ｂのＣＰＵ１０ｂがカメラヘッドから伝達されたカメラヘッド１ａの動作周波数の情報を受け取ってＲＡＭ１３ｂにその情報を記憶するようにしている。
【００４０】
カメラ本体１ｂの動作周波数切替部１７ｂが、現存するカメラヘッド１ａの動作周波数を必ず上回る周波数まで切替自在なものであるとすると、図３に示す構成であってもカメラヘッドの動作周波数にあわせてカメラ本体側のＣＰＵ１０ｂがカメラヘッド側の動作周波数と同一の動作周波数を動作周波数切替部１２０ｂに設定することができる。図３に示すＣＰＵ１０ｂとＲＡＭ１３ｂが本発明にいう情報受取手段に該当し、ＣＰＵ１０ｂと動作周波数切替部１２０ｂとが本発明にいう周波数設定手段に該当する。
【００４１】
図４は、カメラ本体１ｂ側のＣＰＵ１０ｂが行なう処理の手順を示すフローチャートである。
【００４２】
カメラヘッドｎａがカメラ本体１ｂに装着されて電源が投入されたときにこのフローの処理が開始される。
【００４３】
ステップＳ４０１で、撮像素子（ＣＣＤ）１２ｎａに関する情報をＣＣＤ情報記憶部１４ｎａから読み出しＲＡＭ１３ｂに記憶する。ステップＳ４０２へ進み、ＣＣＤ１２ｎａの動作可能周波数や駆動パターンに応じた動作周波数に動作周波数切替部１２０ｂを切り替えて次のステップＳ４０３で撮影可能状態に遷移する。
【００４４】
次のステップＳ４０４でカメラヘッドの交換が行なわれたかどうかを判定してカメラヘッドの交換が行なわれていなければ、Ｎｏ側に進み、このフローの処理を終了する。ここでカメラヘッド１ａが図１に示す他のカメラヘッド１ａ〜（ｎ−１）ａのうちのいずれかに交換されていたらＹｅｓ側へ進みステップＳ４１０からステップＳ４０３の処理を繰り返す。
【００４５】
以上説明したように、図１に示す多くの種類のカメラヘッド１ａ〜ｎａのうちのどのカメラヘッドがカメラ本体１ｂに装着されても円滑な動作が保証されるカメラシステムが実現される。
【図面の簡単な説明】
【００４６】
【図１】本発明の一実施形態であるカメラシステムを示す図である。
【図２】カメラヘッド１ａがカメラ本体１ｂに装着された状態にあるときのカメラシステムの内部構成を示すブロック図である。
【図３】第２の実施形態を示す図である。
【図４】カメラ本体側のＣＰＵが行なう処理の手順を示すフローチャートである。
【符号の説明】
【００４７】
１  カメラシステム
１ａ  カメラヘッド
１０ａ    ＣＰＵ
１１ａ    撮影光学系
１２ａ    ＣＣＤ
１３ａ    ＣＤＳ／ＡＤ部
１４ａ    ＣＣＤ情報記憶部
１５ａ    動作周波数切替部
１６ａ    ＴＧ部
１ｂ    カメラ本体
１０ｂ    ＣＰＵ
１１ｂ    ＲＯＭ
１２ｂ    動作周波数切替部
１３ｂ    ＲＡＭ
１４ｂ    信号処理部
１５ｂ    ＬＣＤ表示部
１６ｂ    記録媒体
１７ｂ    動作周波数記憶部
ｎａ    カメラヘッド
１０ｎａ    ＣＰＵ
１１ｎａ    撮影光学系
１２ｎａ    ＣＣＤ
１３ｎａ    ＣＤＳ／ＡＤ部
１４ｎａ    ＣＣＤ情報記憶部
【図１】
2006203292.tif 000003
【図２】
2006203292.tif 000004
【図３】
2006203292.tif 000005
【図４】
2006203292.tif 000006